(57)【特許請求の範囲】
【請求項１】
災害事例をシミュレートする災害事例シミュレーション装置であって、
災害事例についてのシミュレーション映像データを、タイトル・災害概要、災害の現場、災害の再現、災害の発生までのタイムライン、災害の原因と対策、および対策によるエラーチェーンの変化にそれぞれ対応する複数の映像構成要素ごとに格納するデータ格納部と、
前記複数の映像構成要素のいずれかを選択する操作を行う操作部と、
選択された映像構成要素を表示する表示部と、
前記操作部の操作により選択された映像構成要素を前記データ格納部から呼び出して前記表示部に表示させる制御部と
を具備し、
前記対策によるエラーチェーンの変化に対応する映像構成要素は、作業完了までの時系列的な流れを示すエラーチェーンツリーおよび前記災害の対策に対応する対策ボタンが表示された待機画面を有し、
前記待機画面には、初期状態では対策前の災害が発生するエラーチェーンツリーが表示され、
前記対策ボタンが操作されることにより、前記待機画面に表示されたエラーチェーンツリーが対策後のものに変更され、対策を行うことにより、エラーチェーンが断ち切られ、正常に作業が完了することが示されることを特徴とする災害事例シミュレーション装置。
【請求項２】
前記対策後のエラーチェーンツリーが表示された状態で、前記操作部を操作することにより、前記待機画面から対策後の前記時系列的な流れに沿った映像が前記表示部に順次表示されることを特徴とする請求項１に記載の災害事例シミュレーション装置。
【請求項３】
前記制御部は、前記操作部の操作により、前記複数の映像構成要素のうちいずれかを選択する選択部を有する選択画面を前記表示部に表示させ、前記操作部により前記選択部から前記映像構成要素のうちいずれかを選択することにより、対応する映像構成要素を前記表示部に表示させることを特徴とする請求項１または請求項２に記載の災害事例シミュレーション装置。
【請求項４】
前記選択部は、前記複数の映像構成要素に対応する複数の選択ボタンを有し、前記制御部は、いずれかの前記選択ボタンが操作された際に、対応する映像構成要素を前記表示部に表示させることを特徴とする請求項３に記載の災害事例シミュレーション装置。
【請求項５】
前記災害の発生までのタイムラインに対応する映像構成要素は、災害発生までの時系列的な流れが表示された待機画面を有し、前記操作部を操作することにより、前記待機画面から前記時系列的な流れに沿った映像が前記表示部に順次表示されるように構成されていることを特徴とする請求項１から請求項４のいずれか１項に記載の災害事例シミュレーション装置。
【請求項６】
前記災害の原因と対策に対応する映像構成要素は、災害の原因が記載された初期画面を有し、前記初期画面において前記操作部を操作することにより、前記原因に対する対策が記載された対策画面が前記表示部に表示されることを特徴とする請求項１から請求項５のいずれか１項に記載の災害事例シミュレーション装置。
【請求項７】
前記対策画面において前記操作部を操作することにより、対策の詳細または対策の勘所が記載された映像が前記表示部に表示されることを特徴とする請求項６に記載の災害事例シミュレーション装置。
【発明の詳細な説明】
【技術分野】
【０００１】
本発明は、災害の風化防止、作業者の危険感受性の向上を目的とした安全教育を行うための災害事例シミュレーション装置に関する。
【背景技術】
【０００２】
工場や工事現場等の現場においては、事故や災害（以下、単に災害という）が発生するが、このような災害の風化防止、作業者の危険感受性の向上を目的として安全教育が行われている。
【０００３】
このような現場における災害に関する教育としては、従来、災害報告書をもとに教育することが一般的であるが、その多くは、資料として書面やパソコン画面に表示された静止画像を用いるものであり、文面と写真から想像することが必要であるため、災害の発生の様子が直観的にわかるものではない。このため、災害の悲惨さが伝わりにくく、危険感受性の向上効果が低いため、当事者意識を持つことは難しい。特に、現象や場面が複雑な場合、読み手の想像力が低いと、背景・経過を理解することが困難な場合もある。
【０００４】
このようなことを解消する技術として、非特許文献１には、３ＤのＣＧアニメーションを用いて事故・災害の瞬間をリアルに再現した安全教育教材について記載されている。これにより、災害再現とその対策を容易に理解することができる。
【先行技術文献】
【特許文献】
【０００５】
【非特許文献１】株式会社アクトエンジニアリングホームページ  ｅ-施工計画．ｃｏｍ  安全衛生の達人、［平成２７年２月２日検索］、インターネット＜URL:http://e-sekou.com/safty＞
【発明の概要】
【発明が解決しようとする課題】
【０００６】
しかし、上記非特許文献１の技術は、事故・災害の瞬間をリアルに再現した安全教育教材ではあるが、災害再現と対策を見せることに力点をおいて、作業開始、災害発生、対策の順で理解を促進していくものが一般的であって、通り一遍で見せる教材であり、従来の静止画像での教育の延長線上にある受け身の教育である。したがって、静止画像に比べて状況を理解しやすくなり、災害状況把握には効果はあるものの、視聴者が積極的に考える教育教材とはなっておらず、視聴者が自分の行動に置き換えて考える部分が少なく、視聴者に当事者意識を植え付けるということに関しては効果的とはいえない。
【０００７】
本発明は、かかる事情に鑑みてなされたものであって、視聴者に積極的に考えさせ、当事者意識を植え付ける効果が高く、事故・災害の風化防止、視聴者の危険感受性向上に寄与することができる災害事例シミュレーション装置を提供することを課題とする。
【課題を解決するための手段】
【０００８】
上記課題を解決するため、本発明は、以下の（１）〜（８）を提供する。
【０００９】
（１）災害事例をシミュレートする災害事例シミュレーション装置であって、
災害事例についてのシミュレーション映像データを、タイトル・災害概要、災害の現場、災害の再現、災害の発生までのタイムライン、災害の原因と対策、および対策によるエラーチェーンの変化にそれぞれ対応する複数の映像構成要素ごとに格納するデータ格納部と、
前記複数の映像構成要素のいずれかを選択する操作を行う操作部と、
選択された映像構成要素を表示する表示部と、
前記操作部の操作により選択された映像構成要素を前記データ格納部から呼び出して前記表示部に表示させる制御部と
を具備することを特徴とする災害事例シミュレーション装置。
【００１０】
（２）前記対策によるエラーチェーンの変化に対応する映像構成要素は、前記作業完了までの時系列的な流れを示すエラーチェーンツリーおよび前記災害の対策に対応する対策ボタンが表示された待機画面を有し、前記待機画面において前記操作部が前記対策ボタンを操作することにより、対策後のエラーチェーンツリーが表示されることを特徴とする（１）に記載の災害事例シミュレーション装置。
【００１１】
（３）前記対策後のエラーチェーンツリーが表示された状態で、前記操作部を操作することにより、前記待機画面から前記時系列的な流れに沿った映像が前記表示部に順次表示されることを特徴とする（２）に記載の災害事例シミュレーション装置。
【００１２】
（４）前記制御部は、前記操作部の操作により、前記複数の映像構成要素のうちいずれかを選択する選択部を有する選択画面を前記表示部に表示させ、前記操作部により前記選択部から前記映像構成要素のうちいずれかを選択することにより、対応する映像構成要素を前記表示部に表示させることを特徴とする（１）から（３）のいずれかに記載の災害事例シミュレーション装置。
【００１３】
（５）前記選択部は、前記複数の映像構成要素に対応する複数の選択ボタンを有し、前記制御部は、前記操作部によりいずれかの前記選択ボタンを操作した際に、対応する映像構成要素を前記表示部に表示させることを特徴とする（４）に記載の災害事例シミュレーション装置。
【００１４】
（６）前記災害の発生までのタイムラインに対応する映像構成要素は、災害発生までの時系列的な流れが表示された待機画面を有し、前記操作部を操作することにより、前記待機画面から前記時系列的な流れに沿った映像が前記表示部に順次表示されるように構成されていることを特徴とする（１）から（５）のいずれかに記載の災害事例シミュレーション装置。
【００１５】
（７）前記災害の原因と対策に対応する映像構成要素は、災害の原因が記載された初期画面を有し、前記初期画面において前記操作部を操作することにより、前記原因に対する対策が記載された対策画面が前記表示部に表示されることを特徴とする（１）から（６）のいずれかに記載の災害事例シミュレーション装置。
【００１６】
（８）前記対策画面において前記操作部を操作することにより、対策の詳細または対策の勘所が記載された映像が前記表示部に表示されることを特徴とする（７）に記載の災害事例シミュレーション装置。
【発明の効果】
【００１７】
本発明によれば、災害事例についてのシミュレーション映像データを、タイトル・災害概要、災害の現場、災害の再現、災害の発生までのタイムライン、災害の原因と対策、および対策によるエラーチェーンの変化にそれぞれ対応する複数の映像構成要素ごとに格納し、複数の映像構成要素ごとに表示する。これにより、段階的に安全教育を行うことができ、単に災害再現と対策を見せるのみならず、視聴者（教育の受講者）に考える時間を与えて、深く傾聴させることができ、当事者意識を植え付ける効果を高めることができる。このため、事故・災害の風化防止、視聴者の危険感受性向上に寄与することができる。
【図面の簡単な説明】
【００１８】
【図１】本発明の一実施形態に係る災害事例シミュレーション装置を示す構成図である。
【図２】初期画面を示す図である。
【図３】事例トップ画面を示す図である。
【図４】災害現場の例を示す図である。
【図５】「災害の再現」ボタンをクリックした際に表示される映像の一例を説明するための図である。
【図６】「タイムライン」ボタンをクリックした際に表示される映像の一例を説明するための図である。
【図７】「なぜ災害は起きたのか？」ボタンをクリックした際に表示される初期画面の一例を示す図である。
【図８】図７の初期画面において３つの原因ボタンをクリックした際にそれぞれ表示される詳細画面を示す図である。
【図９】災害事例の一例において対策として講じた階段の安全柵を高くして危険個所に立ち入れない構造を示す図である。
【図１０】「エラーチェーン」ボタンをクリックした際に表示される待機画面の一例を示す図である。
【図１１】図１０の待機画面において、それぞれの対策ボタンをクリックした場合、および全ての対策ボタンをクリックした場合のエラーチェーンツリーの状態を示す図である。
【図１２】図１０の待機画面における操作により表示される対策後のタイムラインに対応する映像を説明するための図である。
【図１３】本発明の一実施形態の災害事例シミュレーション装置を用いた安全教育の例を示す図である。
【発明を実施するための形態】
【００１９】
以下、添付図面を参照して本発明の実施の形態について説明する。
【００２０】
図１は本発明の一実施形態に係る災害事例シミュレーション装置を示す構成図である。
【００２１】
本実施形態に係る災害事例シミュレーション装置１は、労働災害の風化防止、作業者の危険感受性の向上を目的とした安全教育を行うためのものであり、複数の災害事例（災害事例Ａ、災害事例Ｂ・・・・）についてのシミュレーション映像データを格納するデータ格納部２と、データ格納部２に格納された映像データの映像構成要素を選択する操作を行う操作部３と、選択された映像を表示するディスプレイ（表示部）４と、映像データに付随する音声データを出力する音声出力部５と、操作部３の操作に基づいて所定の映像をディスプレイ４に表示させる制御部６とを有する。
【００２２】
データ格納部２は、災害事例ごとに複数の災害事例フォルダ１０１が格納され、災害事例フォルダ１０１には、災害の再現、災害の発生までの時間的流れ、災害の原因と対策、および対策後の時間的流れを含むシミュレーション映像データ１０２が格納されている。シミュレーション映像データ１０２は、複数の映像構成要素１０３を有し、これら映像構成要素１０３ごとに分かれて格納されている。具体的には、映像構成要素１０３として、「タイトル・災害概要」、「災害の現場」、「災害の再現」、「タイムライン」（災害の発生までの時間的流れ）、「なぜ災害が起きたのか？」（災害の原因と対策）、および「エラーチェーン」（対策によるエラーチェーンの変化）に対応するものが格納されている。また、データ格納部２には、関連資料が格納された関連資料フォルダ１０４、および操作に必要な画像データ等の他のデータが格納されたデータフォルダ１０５も有している。
【００２３】
各映像データは、主に音声付のＣＧアニメーションデータとして構成されており、一部静止画像も含まれる。
【００２４】
操作部３は、キーボードおよびマウスで構成されており、キーボードによるキー操作またはマウス操作により、災害事例の選択、および映像構成要素の選択を行えるようになっている。また、映像構成要素によっては、適宜の情報選択画面が含まれており、そこで所定の映像をディスプレイ４に表示させる選択操作を行うことができるようになっている。
【００２５】
ディスプレイ４は、液晶画面であってもよいし、大型画面にする必要がある場合にはプロジェクターであってもよい。
【００２６】
制御部６は、コンピュータ（プロセッサ）で構成されており、災害事例を選択することが可能な初期画面をディスプレイ４に表示させる機能、その初期画面から操作部３の操作により選択された災害事例の上記映像構成要素を選択することが可能な事例トップ画面をディスプレイ４に表示させる機能、その事例トップ画面から操作部３の操作により選択された映像構成要素をデータ格納部２から呼び出してディスプレイ４に表示させる機能、および映像構成要素に含まれる選択画面から操作部３の操作により選択された項目に基づいて所定の映像をディスプレイ４に表示させる機能等を有している。
【００２７】
具体的には、アプリケーションを起動させると、制御部６は、ディスプレイ４に図２に示すような初期画面１０を表示させる。初期画面１０は、複数の災害事例を切り替え可能になっており、事例切替ボタン１１、事例選択ボタン１２を有している。そして、事例選択ボタン１２はアクティブにする事例をハイライト表示させ、事例切替ボタン１１をクリックすることでアクティブにする事例を切り替え、事例選択ボタン１２をクリックすることでアクティブにされた事例が選択される。
【００２８】
事例が選択されると、制御部６は、ディスプレイ４に図３に示すような事例トップ画面２０を表示させる。事例トップ画面２０は、映像構成要素を選択するための７つの選択ボタン、すなわち、「タイトル・災害概要」ボタン２１、「災害の現場」ボタン２２、「災害の再現」ボタン２３、「タイムライン」ボタン２４、「なぜ災害は起きたのか？」ボタン２５、「エラーチェーン」ボタン２６、「関連資料」ボタン２７を有している。また、事例トップ画面２０は、初期画面１０に戻すためのアイコン２８と、選択された事例を表示する事例表示部２９とをさらに有している。そして、いずれかの選択ボタンをクリックすることにより、制御部６は対応する映像構成要素の映像をディスプレイ４に表示させる。
【００２９】
「タイトル・災害概要ボタン」２１をクリックすると、災害事例のタイトル→災害概要の順に映像が表示される。タイトル映像は、その災害事例の内容を記載した映像（例えば、「クレーン点検作業中のはさまれ災害」等）である。背景に災害現場の映像があると効果的である。災害概要の映像としては、例えば災害の発生日時、発生場所、作業名、被災者の役職、年齢、勤続年数、災害による傷病、被災状況をまとめた表が用いられる。なお、災害概要にタイトルが表示されていれば、タイトル映像を省略することもできる。災害概要を説明した後、映像の右下にアイコンが表示され、これをクリックすることで事例トップ画面２０に戻る。
【００３０】
「災害の現場」ボタン２２をクリックすると、災害の現場のロケーションを把握するための上空マップ、および災害の現場そのものの映像が順に自動再生される。また、必要があれば現場のウォークスルー映像を含めてもよい。この災害の現場の映像により、視聴者が災害の現場を理解することができる。説明終了後、映像の右下にアイコンが表示され、これをクリックすることでトップ画面に戻る。また、これらの自動再生が終了した後、現場映像について、キー操作によりカメラの位置の調整、カメラ切替等を行って、現場を種々の角度で見ることができるようにすることもできる。例えば、災害事例が「クレーン点検作業中のはさまれ災害」の場合は、現場が例えば熱延コイル冷却ヤードであり、図４に示すように、クレーンが設置された現場の映像において、キーボードのキー３０を操作することにより、カメラ切り替え、運転室移動、カメラの位置の移動が可能となっている。これにより、視聴者が災害の現場をより詳細に理解することができる。
【００３１】
「災害の再現」ボタン２３をクリックすると、災害を再現した映像が表示され、災害の発生に至る状況を、音声による説明（ナレーション）を加えながら再現する。これにより、災害の状況を具体的に把握することができる。例えば、災害事例が「クレーン点検作業中のはさまれ災害」の場合は、「災害の再現」の映像は、図５に示すようなものとなる。図５（ａ）は初期状態である。被災者Ａがクレーン動点検開始のため待機している。このとき「クレーン運転士は運転室、保全員Ｂはクラブ側で配置についていた。」とのナレーションが入る。図５（ｂ）は負債者Ａの点検状況である。このときの状況について「被災者Ａは階段からレールフレームを点検しようとしていたが、遠くて見にくいため、クーラーのある危険個所に立ち入った。」とのナレーションが入る。図５（ｃ）は、「点検作業が完了したので、クレーンを元の位置に戻すことに…」とのテロップ表示である。この時、テロップ表示の文言の音声に続いて、被災者Ａとクレーン運転士の無線交信の内容がナレーションにて説明される。このときの無線交信は、被災者Ａが点検完了した旨を伝え、クレーン運転士がその旨了解し、運転室を戻すことを伝えるものである。図５（ｄ）は、運転室が元の位置に戻ってくる状況である。このときの状況について「運転室が元の位置に戻ってくる。しかし、被災者Ａは危険個所から出ずに、レールフレームをもう一度見なおしている。」とのナレーションが入る。図５（ｅ）は、被災者Ａが被災した状況である。このときの状況について「元の位置に戻る直前、運転室フレームと運転室連絡歩廊の間に、被災者Ａが挟まれてしまう。」とのナレーションが入る。以上で「災害の再現」が終了し、自動的にトップ画面に戻る。必要があれば、もう一度「災害の再現」のみを流すことも可能である。
【００３２】
なお、「タイトル・災害概要」→「災害の現場」→「災害の再現」の部分は、時短のため、トップ画面に戻らなくても説明を進行できるようにすることもできる。その場合は、災害概要の映像に表示されるアイコン、および災害の現場の映像に表示されるアイコンについて、例えば、左クリックすると次に進み、右クリックするとトップ画面に戻るようにすればよい。
【００３３】
「タイムライン」ボタン２４をクリックすることにより、災害発生までの時間的流れの映像が表示される。これにより、災害に至る経緯を詳細に理解することができる。例えば、災害事例が「クレーン点検作業中のはさまれ災害」の場合は、「タイムライン」の映像は、図６に示すようなものとなる。
【００３４】
最初に、図６（ａ）に示すような待機画面が表示される。その下部には災害発生までの時系列的な流れ４１が表示されている。画面の上部の左右にはそれぞれ映像変換アイコン４２，４３が表示される。映像変換アイコン４２は映像を戻すためのものであり、映像変換アイコン４３は映像を進めるためのものである。初期画面において右の映像変換アイコン４３をクリックすることにより、最初の「点検時間の確認・報告」に対応する図６（ｂ）の映像が表示され、次に右の映像変換アイコン４３をクリックすることにより「全体ミーティング・個別ミーティング」に対応する図６（ｃ）の映像が表示される。そして、さらに右の映像変換アイコン４３をクリックすることにより、「３人で作業・内容確認」に対応する図６（ｄ）の映像、「点検配置につく」に対応する図６（ｅ）の映像、「点検開始」と「危険個所への立ち入り」に対応する図６（ｆ）の映像、「点検終了」と「クレーンを元の位置へ」に対応する図６（ｇ）の映像、「災害発生」に対応する図６（ｈ）の映像が順次表示される。図６（ａ）〜（ｈ）の映像には、詳細事象のテロップが表示され、そのテロップの内容のナレーションが入る。なお、最後の図６（ｈ）の映像が終了し、流れを全て見た時点で右の映像変換アイコン４３をクリックすると事例トップ画面２０に戻る。また、図６（ｂ）〜（ｈ）の各映像が表示されているときに左の映像変換アイコン４２をクリックすると前の映像に戻る。さらに、図６（ａ）の待機画面のときのみ、マウスを右クリックすることで事例トップ画面２０に戻ることができる。
【００３５】
「なぜ災害は起きたのか？」ボタン２５をクリックすることにより、災害の原因と対策を把握することができる。初期画面としては、考えられる原因をまとめた画面が表示される。例えば、災害事例が「クレーン点検作業中のはさまれ災害」の場合は、初期画面として図７に示すような、原因１〜３が表示される。原因１は「動点検作業基準の指示・理解が不十分」、原因２は「異常発見時の「報連相」のルール不明確」、原因３は「運転室が西端で挟まれる構造であった」である。これら原因１、原因２、原因３の頭には、それぞれ原因ボタン５１、原因ボタン５２、原因ボタン５３が表示されており、これらをクリックすることにより、各原因と対策の詳細が表示されるが、これらをクリックする前に、初期画面のままの状態で、教育を受けている視聴者にディスカッションを行う機会を与えることにより、当事者意識をより高めることができる。
【００３６】
ディスカッション後、原因ボタン５１、原因ボタン５２、原因ボタン５３をクリックすることにより、それぞれ図８（ａ）、図８（ｂ）、図８（ｃ）に示すような、原因に対する対策を記載した画面が表示される。これら画面には、図７に示された原因も表示され、必要に応じて原因の補足説明も表示される。
【００３７】
図８（ａ）は、原因１についてのものであり、原因１の補足説明が表示され、対策１として「「クレーン動点検作業指示書」の導入と本人確認サイン」と表示されている。また、対策１の右端に対策ボタン５４が表示されており、これをクリックすることにより、本人確認サインの箇所を有する「クレーン動点検作業指示書」が表示される。
【００３８】
図８（ｂ）は、原因２についてのものであり、対策１として「「作業変更時は再ＫＹ（報告・指示）を行う」と表示され、対策２として「「安全作業指示書兼現場ＫＹシート」変更」と表示されている。また対策の右端には対策ボタン５５および勘所ボタン５６が表示されており、対策ボタンをクリックすることにより、対策２の変更された「安全作業指示書兼現場ＫＹシート」が表示され、勘所ボタン５６をクリックすることにより、「再ＫＹが必要な作業」の勘所、作業方法を変更した際に、再ＫＹせずに被災した例などが表示される。
【００３９】
図８（ｃ）は、原因３についてのものであり、その補足説明として「本質的な安全設計となっていなかった」と表示され、対策１として「クレーンの挟まれ防止（フェイルセーフ構造）への改造」と表示されている。また対策１の右端には対策ボタン５７が表示されており、対策ボタンをクリックすることにより、図９に示すように、階段の安全柵を高くして危険個所に立ち入れない構造の映像が表示される。図９の映像において、キーボードのキー３０を操作することにより、カメラ切り替え、運転室移動、カメラの位置の移動、安全柵の表示／非表示の切り替えが可能となっている。これにより、対策を施した後の構造を把握しやすくすることができる。
【００４０】
「エラーチェーン」ボタン２６をクリックすると、対策前後の流れが表示される。すなわち、対策を行ったことにより、エラーチェーン（災害が発生するまでの流れ）がどのように変化するかをシミュレートする映像が表示される。これにより、各対策を施すことでエラーチェーンが断ち切られ、正常に作業を完了することを理解することができる。
【００４１】
例えば、災害事例が「クレーン点検作業中のはさまれ災害」の場合は、最初に図１０に示す待機画面が表示される。待機画面には時系列的な流れを示すエラーチェーンツリー６１が表示されている。エラーチェーンツリー６１の上には、上記原因１〜３に対する対策にそれぞれ対応する対策ボタン６２，６３，６４が、それぞれ対応する項目の上に表示されている。画面の上部の左右にはそれぞれ映像変換アイコン６５，６６が表示されている。左の映像変換アイコン６５は、図６の映像変換アイコン４２と同様、クリックすることにより前の映像に戻り、右の映像変換アイコン６６は、図６の映像変換アイコン４３と同様、クリックすることにより次の映像に進む。また、画面上部の右側には、エラーチェーン表示／非表示アイコン６７が表示されている。待機画面は、初期状態では、図１０に示すように、対策前の状態であり、災害が発生するエラーチェーンを構成しており、この流れのままでは災害が発生することが示されている。この状態で右の映像変換アイコン６６をクリックしていくと、図６（ｂ）〜（ｈ）と同様の対策前のタイムラインに対応する映像が順次表示される。
【００４２】
これに対して、待機画面の対策ボタン６２をクリックすると、図１１（ａ）に示すように、原因１に対する対策が明転され、エラーチェーンツリー６１は、その対策を行った後のものに変更される。また、対策ボタン６３をクリックすると、図１１（ｂ）に示すように、原因２に対する対策が明転され、エラーチェーンツリー６１は、その対策を行った後のものに変更される。さらに、対策ボタン６４をクリックすると、図１１（ｃ）に示すように、原因３に対する対策が明転され、エラーチェーンツリー６１は、その対策を行った後のものに変更される。図１１（ａ）〜（ｃ）のいずれにおいても、対策を行うことにより、エラーチェーンが断ち切られ、正常に作業を完了することが示されている。図１１（ｄ）は、対策ボタン６２，６３，６４を全てクリックして、全ての対策とった際の待機画面を示す。エラーチェーンツリー６１は、全ての対策を行った後のものに変更される。
【００４３】
待機画面において、対策ボタン６２，６３，６４の一つ以上をクリックした状態で映像変換アイコン６６をクリックすることにより、対策後のタイムラインに対応する図１２（ａ）〜（ｈ）に示す映像が順次表示され、対策後の時間的流れを確認することができる。図１２（ａ）〜（ｈ）の映像には、図６（ａ）〜（ｈ）の映像と同様、詳細事象のテロップが表示され、そのテロップの内容のナレーションが入る。なお、最後の図１２（ｈ）の映像が終了し、流れを全て見た時点で右の映像変換アイコン６６をクリックすると事例トップ画面２０に戻る。また、待機画面のときのみ、マウスを右クリックすることで事例トップ画面２０に戻ることができる。
【００４４】
「関連資料」ボタン２７をクリックすると、関連資料フォルダ１０４から関連資料を呼び出すことができる。関連資料フォルダ１０４には、直近に起きた災害事例や、法規関連の資料、外部ＷＥＢへのショートカットやムービーなど、シミュレーション映像で足りない部分を補う資料等が含まれる。
【００４５】
次に、以上のように構成される災害事例シミュレーション装置１を用いて安全教育を行う場合について、図１３を参照して説明する。図１３は災害事例シミュレーション装置１を用いた安全教育の例を示す図である。
【００４６】
ここでは、災害事例シミュレーション装置１を用いて２５分で安全教育を行う例について説明する。上述したように映像構成要素としては、「１）タイトル・災害概要」、「２）災害の現場」、「３）災害の再現」、「４）タイムライン」、「５）なぜ災害は起きたのか？」、「６）エラーチェーン」が存在し、その他に、「７）関連資料」が存在する。
【００４７】
アプリケーションを起動させ、災害事例を選択した後、「１）タイトル・災害概要」、「２）災害の現場」の映像を順次ディスプレイ４に表示し、引き続き、「３）災害の再現」の映像を表示する。災害の再現の映像は、視聴者（教育の受講者）に繰り返し見るせることで状況をよく理解させることができる。次いで、「４）タイムライン」の映像を表示する。これにより、災害に至る経緯を理解することができる。次いで、「５）なぜ災害は起きたのか？」の原因の部分の映像を表示し、ディスカッション前の投げ掛けを行う。その後、視聴者（教育の受講者）に５分程度のディスカッションをさせる。これにより自ら考える力を養う効果を高めることができる。次いで、ディスカッションを受けて、「５）なぜ災害は起きたのか？」の対策の部分の映像を表示する。次いで、「６）エラーチェーン」の映像を表示し、対策前の災害発生までの流れのうち、どの流れを断ち切ればよかったのかを理解させる。その後、「７）関連資料」を用いて、内容・対策の補足、基準・法令等の説明を行う。そして、最後に必要に応じて再度「３）災害再現」の映像を表示した後、まとめを行い、安全学習を終了する。
【００４８】
以上のように、本実施形態では、各災害事例のシミュレーション映像データを、「タイトル・災害概要」、「災害の現場」、「災害の再現」、「タイムライン」（災害の発生までの時間的流れ）、「なぜ災害が起きたのか？」（災害の原因と対策）、および「エラーチェーン」（対策前後の時間的流れ）にそれぞれ対応する複数の映像構成要素ごとに格納し、複数の映像構成要素ごとに表示する。これにより、段階的に安全教育を行うことができ、単に災害再現と対策を見せるのみならず、視聴者（教育の受講者）に考える時間を与えて、深く傾聴させることができ、当事者意識を植え付ける効果を高めることができる。このため、事故・災害の風化防止、視聴者の危険感受性向上に寄与することができる。
【００４９】
具体的には、災害の再現の後、タイムラインにより災害発生までの時間的流れを見ることができるので、災害発生に至った経緯をより詳しく知ることができる。そして、タイムラインを見た後に、災害が起きた原因を見ることができるので、なぜ災害が発生したのかをより深く理解することができる。さらに、原因を見た後、別個に対策を見るようにしているため、その間にディスカッションを介在させる等により、視聴者（教育の受講者）に考えさせる効果を高めることができる。さらにまた、対策を見た後に、エラーチェーンを見ることにより、対策により災害発生に至るどの流れが断ち切られて災害発生が回避されたかを明確に把握することができ、視聴者（教育の受講者）の理解度を高める効果を高めることができる。
【００５０】
なお、本発明は上記実施形態に限定されることなく、本発明の範囲内で種々変形可能である。例えば、上記実施形態では、災害事例として「クレーン点検作業中のはさまれ災害」を示したが、これに限らず、他の事例にも適用可能であることはいうまでもない。
【００５１】
また、上記実施形態では、映像構成要素として、「タイトル・災害概要」、「災害の現場」、「災害の再現」、「タイムライン」、「なぜ災害が起きたのか？」、および「エラーチェーン」を示したが、他の映像構成要素を含んでもよい。
【００５２】
また、映像構成要素の分け方についても特に限定されず、上記映像構成要素をいくつかをまとめてもよいし、逆にさらに細分化してもよい。例えば、「タイトル・災害概要」、「災害の現場」、「災害の再現」をまとめて一つの映像構成要素としてもよい。
【００５３】
さらに、災害事例シミュレーション装置を用いて行われる安全教育についても、上記例に限定されることなく、種々の方法を採用することができる。
【符号の説明】
【００５４】
１  災害事例シミュレーション装置
２  データ格納部
３  操作部
４  ディスプレイ（表示部）
５  音声出力部
６  制御部
１０  初期画面
１１  事例切替ボタン
１２  事例選択ボタン
２０  事例トップ画面
２１  「タイトル・災害概要」ボタン
２２  「災害の現場」ボタン
２３  「災害の再現」ボタン
２４  「タイムライン」ボタン
２５  「なぜ災害は起きたのか？」ボタン
２６  「エラーチェーン」ボタン
２７  「関連資料」ボタン
３０  キーボード
４１  災害発生までの時系列的な流れ
４２，４３  映像変換アイコン
５１，５２，５３  原因ボタン
５４，５５，５７  対策ボタン
５６  勘所ボタン
６１  エラーチェーンツリー
６２、６３，６４  対策ボタン
６５，６６  映像変換アイコン
６７  エラーチェーン表示／非表示アイコン
【図１】
0006339045.tif 000002
【図２】
0006339045.tif 000003
【図３】
0006339045.tif 000004
【図４】
0006339045.tif 000005
【図５】
0006339045.tif 000006
【図６】
0006339045.tif 000007
【図７】
0006339045.tif 000008
【図８】
0006339045.tif 000009
【図９】
0006339045.tif 000010
【図１０】
0006339045.tif 000011
【図１１】
0006339045.tif 000012
【図１２】
0006339045.tif 000013
【図１３】
0006339045.tif 000014